(57)【要約】【課題】使い勝手を損なうといった不具合を生じさせることなく、ノブが目立たないすっきりした外観デザインを可能とするグローブボックスを提供する。【解決手段】グローブボックス本体２は、車両前方側への押し込み状態が設定された際に、リッド部２１の上方に車両後方側を向いて開口する開口部６を形成するように設けられており、ロック解除用のノブ４は、リッド部２１の上部寄り領域の裏面側に設けられ、かつ開口部６から手を差し入れて操作することができるように構成されている。【選択図】  図１
2014046772.tif 000002
【特許請求の範囲】
【請求項１】
上面開口状の収容部を内部に形成し、かつ車両後方側の壁部がリッド部とされたグローブボックス本体と、
このグローブボックス本体をインストルメントパネルに相対させて回転可能に支持し、かつ前記グローブボックス本体の車両後方側への引き出し状態および車両前方側への押し込み状態を切り替え設定可能とする回転支持部と、
前記グローブボックス本体が前記押し込み状態に設定された際に、前記グローブボックス本体をロックするロック手段と、
前記ロックを解除するためのノブと、
備えている、グローブボックスであって、
前記グローブボックス本体は、前記押し込み状態の設定時において、前記リッド部の上方に車両後方側を向いて開口する開口部を形成するように設けられており、
前記ノブは、前記リッド部の上部寄り領域の裏面側に設けられ、かつ前記開口部から手を差し入れて操作することができるように構成されていることを特徴とする、グローブボックス。
【発明の詳細な説明】
【技術分野】
【０００１】
本発明は、自動車などの車両に設けられるグローブボックスに関する。
【背景技術】
【０００２】
この種のグローブボックスとしては、上面開口状の収容部を内部に形成したグローブボックス本体を、回転可能に設け、この回転動作によって開閉させるにしたものがある（たとえば、特許文献１を参照）。このような構成のグローブボックスでは、グローブボックス本体を車両前方側に回転させた閉状態時において、グローブボックスが不用意に開かないようにするためのロック機構が設けられているのが通例である。また、これに伴い、グローブボックスのロック状態を解除するためのノブが、リッド部に設けられている。
【０００３】
しかしながら、従来においては、ロック解除用のノブは、リッド部の表面（車両後方側の面）に設けられている。このため、ノブが目立ったものとなり、グローブボックスをすっきりとしたデザインに仕上げて車室の見栄えを良好にしたい場合に、このノブがそのデザイン性を損ねてしまう虞があった。
【先行技術文献】
【特許文献】
【０００４】
【特許文献１】特開２００２−６７８１３号公報
【発明の概要】
【発明が解決しようとする課題】
【０００５】
本発明は、前記したような事情のもとで考え出されたものであり、使い勝手を損なうといった不具合を生じさせることなく、ノブが目立たないすっきりした外観デザインを可能とするグローブボックスを提供することを、その課題としている。
【課題を解決するための手段】
【０００６】
上記の課題を解決するため、本発明では、次の技術的手段を講じている。
【０００７】
本発明により提供されるグローブボックスは、上面開口状の収容部を内部に形成し、かつ車両後方側の壁部がリッド部とされたグローブボックス本体と、このグローブボックス本体をインストルメントパネルに相対させて回転可能に支持し、かつ前記グローブボックス本体の車両後方側への引き出し状態および車両前方側への押し込み状態を切り替え設定可能とする回転支持部と、前記グローブボックス本体が前記押し込み状態に設定された際に、前記グローブボックス本体をロックするロック手段と、前記ロックを解除するためのノブと、備えている、グローブボックスであって、前記グローブボックス本体は、前記押し込み状態の設定時において、前記リッド部の上方に車両後方側を向いて開口する開口部を形成するように設けられており、前記ノブは、前記リッド部の上部寄り領域の裏面側に設けられ、かつ前記開口部から手を差し入れて操作することができるように構成されていることを特徴としている。
【０００８】
このような構成によれば、次のような効果が得られる。
第１に、ロック解除用のノブが、リッド部の裏面側に設けられているために、車室内側からこのノブを見えなくし、あるいは殆ど見えないようにし、いずれにしても目立たないようにすることができる。したがって、グローブボックスをすっきりしたデザインとして、見栄えを良好にするのに好ましいものとなる。
第２に、ノブがリッド部の裏面側に設けられているものの、その操作はリッド部の上方
の開口部から手を差し入れて容易に行なうことができる。したがって、操作性が損なわれることはない。本発明においては、開口部に手を差し入れた後には、リッド部を手前（車両後方側）に引くようにしてノブを操作することにより、グローブボックスのロック解除とグローブボックス本体の引き出し動作とを一連に行なわせることが可能であるために、その操作は自然であって違和感がない。従来のものと比較して、却って、その操作性を良好にすることも可能である。
第３に、グローブボックスを閉状態（グローブボックス本体の押し込み状態）とした場合であっても、リッド部の上方の開口部を利用して、物品をグローブボックス内に収容することが可能である。したがって、物品を収容する場合に、その都度グローブボックスを開閉する手間が省け、利便性もよい。
【０００９】
本発明のその他の特徴および利点は、添付図面を参照して以下に行なう発明の実施の形態の説明から、より明らかになるであろう。
【図面の簡単な説明】
【００１０】
【図１】本発明に係るグローブボックスの一例を示す要部斜視図である。
【図２】図１のII−II断面図である。
【発明を実施するための形態】
【００１１】
以下、本発明の好ましい実施の形態について、図面を参照して具体的に説明する。
【００１２】
図１および図２に示すグローブボックスＧＢは、自動車のインストルメントパネル１のうち、助手席の前方に形成された凹部１０を利用して設けられている。グローブボックスＧＢは、グローブボックス本体２、回転支持部３、ノブ４、および一対のロック用ピン５を備えている。図面において、矢印Ｆｒは車両前方を示し、矢印Ｕｐは車両高さ方向上方を示す。
【００１３】
グローブボックス本体２は、上面開口状の収容部２０を内部に形成したものであり、このグローブボックス本体２のうち、車両後方側の壁部がリッド部２１である。回転支持部３は、グローブボックス本体２の下部を回転可能に支持する部分であり、この回転支持により、グローブボックス本体２は、図２の仮想線に示すように、車両後方側へ引き出した状態（以下、単に「引き出し状態」）と、同図の実線で示すように、車両前方側に押し込んだ状態（以下、単に「押し込み状態」）とに設定可能である。ただし、グローブボックス本体２の押し込み状態においては、リッド部２１とインストルメントパネル１との間に開口部６が形成されるように構成されており、本実施形態のグローブボックスＧＢは、いわゆる常時開放タイプとされている。開口部６は、収容部２０と連通しており、グローブボックス本体２を押し込み状態にしたままで、開口部６から収容部２０に物品を収容し、また取り出すことが可能となっている。
【００１４】
一対のロック用ピン５は、本発明でいうロック手段の一例に相当し、インストルメントパネル１に設けられている一対の係合用凹部１２に係脱可能なものである。各ロック用ピン５は、図示されていないバネの弾発力により、リッド部２１の側面からその側方に突出するように常時付勢されている。グローブボックス本体２を押し込み状態に設定した際には、各ロック用ピン５は係合用凹部１２に係合し、グローブボックス本体２をロックする。
【００１５】
ノブ４は、グローブボックス本体２のロック状態を解除するためのものであり、リッド部２１の上部寄り領域の裏面側（車両前方側）に設けられている。このノブ４は、下部に回転支点を有しており、このノブ４の上部を、矢印Ｎ１で示すように、リッド部２１側に引くと、一対のロック用ピン５の突出寸法が小さくなり、前記ロック状態が解除されるよ
うに構成されている。リッド部２１には、そのような動作を行なわせるための機構部７が外部から見えないように設けられている。この機構部７は、ノブ４の下部の回転動作を一対のロック用ピン５の直線運動に変換する機構であり、たとえば螺旋カムなどを用いて構成されている。
【００１６】
次に、前記したグローブボックスＧＢの作用について説明する。
【００１７】
まず、ノブ４は、リッド部２１の裏面側に設けられており、車室内側からこのノブ４を見えないようにすることができる。図１においては、ノブ４の上端部が見えるように示されているが、いずれにしても、ノブ４を目立たないように隠すことができる。したがって、グローブボックスＧＢをすっきりしたデザインとして、その見栄えを良好にすることが可能である。
【００１８】
ノブ４の操作は、リッド部２１の上方の開口部６から手を差し入れて行なうことが可能である。この操作では、開口部６に手を差し入れた後に、ノブ４の上部を車両後方側に引くように力を加えると、グローブボックス本体２のロック解除を行なうとともに、グローブボックスＧＢを車両後方側に引き出すことが可能となる。したがって、グローブボックスＧＢの開操作をいわゆるワンタッチで行なえる。しかも、その操作の仕方は自然であって違和感がない。このようなことから、グローブボックスＧＢの開閉操作性も良好なものとなる。
【００１９】
開口部６は、常時開口した状態にあり、グローブボックス本体２が押し込み状態に設定されている場合であっても、開口部６を利用してグローブボックスＧＢ内に物品を収容することが可能となる。したがって、小物類などを収容する際に、その都度グローブボックス本体２を引き出す必要がなく、便利である。
【００２０】
本発明は、上述した実施形態の内容に限定されない。本発明に係るグローブボックスの各部の具体的な構成は、本発明の意図する範囲内において種々に設計変更自在である。
【００２１】
上述した実施形態では、ロック解除用のノブ４の幅Ｌ１が、比較的狭くされているが、この幅Ｌ１をさらに大きくし、たとえばリッド部２１の幅と略同等程度の幅とすることもできる。このような構成を採用すれば、開口部６のいずれの箇所に手を差し入れた場合であっても、ノブ４を操作することができ、操作性がさらに良くなる。
【符号の説明】
【００２２】
ＧＢ  グローブボックス
１  インストルメントパネル
２  グローブボックス本体
３  回転支持部
４  ノブ
５  ロック用ピン（ロック手段）
６  開口部
２０  収容部
２１  リッド部
【図１】
2014046772.tif 000003
【図２】
2014046772.tif 000004